【手続補正書】
【提出日】平成17年12月2日(2005.12.2)
【手続補正１】
【補正対象書類名】明細書
【補正対象項目名】特許請求の範囲
【補正方法】変更
【補正の内容】
【特許請求の範囲】
【請求項１】  販売データを記憶する販売データベースと、統計データを記憶する統計データ記憶部と、地図データを記憶する地図データベースと、グリッドデータを記憶するグリッドデータ記憶部と、特定地域の地図データを前記地図データベースから読み込み、販売データを前記販売データベースから読み込み、前記地図データと前記販売データを合成して合成地図データを作成し、前記特定地域に相当する統計データを前記統計データ記憶部から読み込んで、標準的メッシュ上に展開して標準的メッシュデータを作成し、前記標準的メッシュデータについて内挿法を用いて更に細かいメッシュ単位のグリッドデータを作成して前記グリッドデータ記憶部に記憶し、前記合成地図データと前記グリッドデータとを合成して商圏データを作成し、当該商圏データを表示させるサーバとを有することを特徴とする商圏情報表示システム。
【請求項２】  販売データを記憶する販売データベースと、地図データを記憶する地図データベースと、グリッドデータを記憶するグリッドデータ記憶部と、特定地域の地図データを前記地図データベースから読み込み、販売データを前記販売データベースから読み込み、前記地図データと前記販売データを合成して合成地図データを作成し、前記特定地域に相当する販売データを前記販売データベースから読み込んで、標準的メッシュ上に展開して標準的メッシュデータを作成し、前記標準的メッシュデータについて内挿法を用いて更に細かいメッシュ単位のグリッドデータを作成して前記グリッドデータ記憶部に記憶し、前記合成地図データと前記グリッドデータとを合成して商圏データを作成し、当該商圏データを表示させるサーバとを有することを特徴とする商圏情報表示システム。
【請求項３】  販売データを記憶する販売データベースと、統計データを記憶する統計データ記憶部と、地図データを記憶する地図データベースと、グリッドデータを記憶するグリッドデータ記憶部と、特定地域の地図データを前記地図データベースから読み込み、販売データを前記販売データベースから読み込み、前記地図データと前記販売データを合成して合成地図データを作成し、前記特定地域に相当する統計データ又は販売データを前記統計データ記憶部又は前記販売データベースから読み込んで、標準的メッシュ上に展開して標準的メッシュデータを作成し、前記標準的メッシュデータについて内挿法を用いて更に細かいメッシュ単位のグリッドデータを作成して前記グリッドデータ記憶部に記憶し、前記合成地図データと前記グリッドデータとを合成して商圏データを作成し、当該商圏データにおいて前記統計データに関連する商圏データと前記販売データに関連する商圏データとを切り換えて表示させるサーバとを有することを特徴とする商圏情報表示システム。
【請求項４】  内挿法としては、最近隣加重内挿法を用いたことを特徴とする請求項１乃至３のいずれか記載の商圏情報表示システム。
【請求項５】  合成地図データとグリッドデータとの合成には、前記合成地図データ上に前記グリッドデータを重ね、前記グリッドデータが透けて前記合成地図データを判別可能としたことを特徴とする請求項１乃至４のいずれか記載の商圏情報表示システム。
【請求項６】  標準的メッシュ内の中心からの距離の差を求める位置の数を変更してグリッドデータの単位の大きさを任意に変更可能としたことを特徴とする請求項１乃至５のいずれか記載の商圏情報表示システム。
【請求項７】  測定データを記憶する測定データ記憶部と、地図データを記憶する地図データベースと、グリッドデータを記憶するグリッドデータ記憶部と、特定地域の地図データを前記地図データベースから読み込み、測定データを前記測定データベースから読み込み、前記地図データと前記測定データを合成して合成地図データを作成し、前記特定地域における測定データについて内挿法を用いて標準的メッシュより細かいメッシュ単位のグリッドデータを作成して前記グリッドデータ記憶部に記憶し、前記合成地図データと前記グリッドデータとを合成して商圏データを作成し、当該商圏データを表示させるサーバとを有することを特徴とする商圏情報表示システム。
【請求項８】  販売データを記憶する販売データベースを備え、サーバが、特定地域の地図データを地図データベースから読み込み、販売データを前記販売データベースから読み込み、測定データを測定データベースから読み込み、前記地図データと前記販売データ及び前記測定データを合成して合成地図データを作成し、前記特定地域における測定データについて内挿法を用いて標準的メッシュより細かいメッシュ単位のグリッドデータを作成してグリッドデータ記憶部に記憶し、前記合成地図データと前記グリッドデータとを合成して商圏データを作成し、当該商圏データを表示させるサーバであることを特徴とする請求項７記載の商圏情報表示システム。
【請求項９】  測定データは、測定地点における騒音データ、又は交通量データを含むものであることを特徴とする請求項７又は請求項８記載の商圏情報表示システム。
【請求項１０】  測定データとして、測定したデータを基に算出された統計データを用いることを特徴とする請求項７又は請求項８記載の商圏情報表示システム。
【請求項１１】  販売データを記憶する販売データベースと、統計データを記憶する統計データ記憶部と、地図データを記憶する地図データベースと、グリッドデータを記憶するグリッドデータ記憶部と、地図情報を用いて、商圏に関連するデータを表示させるサーバとを備えた商圏情報表示システムにおける商圏情報表示方法であって、
前記サーバが、特定地域の地図データを前記地図データベースから読み込み、販売データを前記販売データベースから読み込み、前記地図データと前記販売データを合成して合成地図データを作成し、前記特定地域に相当する統計データ又は販売データを前記統計データ記憶部又は前記販売データベースから読み込んで、標準的メッシュ上に展開して標準的メッシュデータを作成し、前記標準的メッシュデータについて内挿法を用いて更に細かいメッシュ単位のグリッドデータを作成して前記グリッドデータ記憶部に記憶し、前記合成地図データと前記グリッドデータとを合成して商圏データを作成し、当該商圏データにおいて前記統計データに関連する商圏データと前記販売データに関連する商圏データとを切り換えて表示させることを特徴とする商圏情報表示方法。
【手続補正２】
【補正対象書類名】明細書
【補正対象項目名】００１２
【補正方法】変更
【補正の内容】
【００１２】
本発明は、上記商圏情報表示システムにおいて、測定データとして、測定したデータを基に算出された統計データを用いるものであり、測定データに基づく統計データについてグリッドデータが作成可能であり、商圏データの理解を容易にできる。
本発明は、販売データを記憶する販売データベースと、統計データを記憶する統計データ記憶部と、地図データを記憶する地図データベースと、グリッドデータを記憶するグリッドデータ記憶部と、地図情報を用いて、商圏に関連するデータを表示させるサーバとを備えた商圏情報表示システムにおける商圏情報表示方法であって、サーバが、特定地域の地図データを地図データベースから読み込み、販売データを販売データベースから読み込み、地図データと販売データを合成して合成地図データを作成し、特定地域に相当する統計データ又は販売データを統計データ記憶部又は販売データベースから読み込んで、標準的メッシュ上に展開して標準的メッシュデータを作成し、標準的メッシュデータについて内挿法を用いて更に細かいメッシュ単位のグリッドデータを作成してグリッドデータ記憶部に記憶し、合成地図データとリッドデータとを合成して商圏データを作成し、当該商圏データにおいて統計データに関連する商圏データと販売データに関連する商圏データとを切り換えて表示させることを特徴としている。
【手続補正３】
【補正対象書類名】明細書
【補正対象項目名】００５０
【補正方法】変更
【補正の内容】
【００５０】
本発明によれば、測定データとして、測定したデータを基に算出された統計データを用いる上記商圏情報表示システムとしているので、測定データに基づく統計データについてグリッドデータが作成可能であり、商圏データの理解を容易にできる効果がある。
本発明によれば、販売データを記憶する販売データベースと、統計データを記憶する統計データ記憶部と、地図データを記憶する地図データベースと、グリッドデータを記憶するグリッドデータ記憶部と、地図情報を用いて、商圏に関連するデータを表示させるサーバとを備えた商圏情報表示システムにおける商圏情報表示方法であって、サーバが、特定地域の地図データを地図データベースから読み込み、販売データを販売データベースから読み込み、地図データと販売データを合成して合成地図データを作成し、特定地域に相当する統計データ又は販売データを統計データ記憶部又は販売データベースから読み込んで、標準的メッシュ上に展開して標準的メッシュデータを作成し、標準的メッシュデータについて内挿法を用いて更に細かいメッシュ単位のグリッドデータを作成してグリッドデータ記憶部に記憶し、合成地図データとリッドデータとを合成して商圏データを作成し、当該商圏データにおいて統計データに関連する商圏データと販売データに関連する商圏データとを切り換えて表示させる商圏情報表示方法としているので、表示画面上に地図データ、販売データ、統計データを分かりやすく表示できる効果がある。